(57)【要約】      （修正有）【課題】ケーキ等の生菓子類を収納、携帯する組み立て紙箱において、必要に応じて保冷体収納ケースを箱の内側に簡単に設ける事が出来、必要としない時は保冷体収納ケースのない従来の組み立て箱と、両方に使え、コストも従来の保冷体収納ケースを伴わない組み立て箱と変わらない組み立て紙箱を提供する。【解決手段】左右側壁４、５と補助側壁８との未接着部隙間に前フラップ兼保冷体収納ケース１０、１０ａを折り筋４１から折り曲げ，フラップ１０先端を差し込む事により保冷体収納ケースが出来、未使用時は通常の前フラップ９と同じに使え、コストアップもない。【選択図】図７
0003132840.tif 000002
【実用新案登録請求の範囲】
【請求項１】
直方体又は立方体からなる組み立て箱で、底板の前縁端には折り筋を介して前蓋を兼ねた前側壁を延設し、後縁端から折り筋を介して後側壁を延設し、後側壁の左右両縁端から折り筋を介して補助側壁を延設し、底板の左右縁端から折り筋を介して左右側壁を延設し、該左右側壁には後側壁と底板を繋ぐ折り筋の両端から４５度の角度の斜め折り目を有し、その折り筋より上側の左右側壁部と補助側壁は、後側壁と左右側壁が直交して起立する位置で接着しており、左右側壁の斜め折り目の下側側壁部両縁端には折り筋を介して、前蓋を兼ねた前側壁の手前に折りこむ前フラップを延設している組み立て紙箱に於いて、該左右どちらかの前フラップ又は両方の前フラップの先端部を底板に沿って箱内側に折りこみ左右側壁の斜め折り目の下側に出来る補助側壁との未接着部隙間に差し込み、差し込んだ前フラップと差し込まれた左右側壁との間に保冷体などを保持出来る程度の空間が出来るようにしてある事を特徴とする組み立て紙箱。
【請求項２】
請求項１記載の組み立て箱で、左右側壁と補助側壁との未接着部隙間に差し込むようにした前フラップに、前フラップと該側壁とを繋ぐ折り筋と平行する折り筋を１本以上設けた事を特徴とする組み立て紙箱。
【請求項３】
請求項１記載の組み立て箱で、側壁と補助側壁との未接着部隙間に差し込むようにした前フラップに数個のぬき穴を設けた事を特徴とする組み立て箱。
【考案の詳細な説明】
【技術分野】
【０００１】
本考案は、ケーキなどの生菓子類を収納携帯する組み立て紙箱に関する。
【背景技術】
【０００２】
低温度下で持ち運びする必要のあるケーキ等の生菓子類を収納する紙箱にあっては、生菓子類の悪化を防ぐため、アイスパック（水や保冷剤をプラスチックフィルムで密封包装したパック状の物を凍らせたもの）やドライアイスなどの保冷体を生菓子類と一緒に紙箱に収納する事は従来から行われてきた。それら保冷体を紙箱内側に収納する方法として、紙で紙箱内側に専用収納ケースを作る事が行われてきた（特許文献１，特許文献２）。しかし従来方法では紙箱本体に収納ケースが１枚の紙として繋がった状態であっても、収納ケース分の紙を余計に必要とし、必ずコストアップしていた。更に、従来の方法では予め収納ケースが箱内側に準備されているが、季節、携帯する時間などによっては、保冷体を必要としない場合もあり、その場合は無駄な機能付与となるなどの問題があった。
【特許文献１】実用新案登録３０８８６３２
【特許文献２】実用新案登録３０９５０５９
【考案の開示】
【考案が解決しようとする課題】
【０００３】
本考案が解決しようとしている課題は、ケーキ等の生菓子類を収納、携帯する組み立て紙箱において、必要に応じて保冷体収納ケースを箱の内側に簡単に設ける事が出来、必要としない時は保冷体収納ケースのない従来の組み立て箱と、両方に使え、コストも従来の保冷体収納ケースを伴わない組み立て箱と変わらない組み立て紙箱を提供する事にある。
【課題を解決するための手段】
【０００４】
第一の課題解決手段は、直方体又は立方体からなる組み立て箱で、底板の前縁端には折り筋を介して前蓋を兼ねた前側壁を延設し、後縁端から折り筋を介して後側壁を延設し、後側壁の左右両縁端から折り筋を介して補助側壁を延設し、底板の左右縁端から折り筋を介して左右側壁を延設し、該左右側壁には後側壁と底板を繋ぐ折り筋の両端から４５度の角度の斜め折り目を有し、その折り筋より上側の左右側壁部と補助側壁は、後側壁と左右側壁が直交して起立する位置で接着しており、左右側壁の斜め折り目の下側側壁部両縁端には折り筋を介して、前蓋を兼ねた前側壁の手前に折りこむ前フラップを延設している組み立て紙箱に於いて、該左右どちらかの前フラップ又は両方の前フラップの先端部を底板に沿って箱内側に折りこみ左右側壁の斜め折り目の下側に出来る補助側壁との未接着部隙間に差し込み、差し込んだ前フラップと差し込まれた左右側壁との間に保冷体などを保持出来る程度の空間が出来るようにした組み立て紙箱とする。
【０００５】
第二の課題解決手段は、第一の課題解決手段の組み立て箱で、左右側壁と補助側壁との未接着部隙間に差し込むようにした前フラップに、前フラップと該側壁とを繋ぐ折り筋と平行する折り筋を１本以上設けた組み立て紙箱とする。
【０００６】
第三の課題解決手段は、第一の課題解決手段の組み立て紙箱で、側壁と補助側壁との未接着部隙間に差し込むようにした前フラップに数個のぬき穴を設けた組み立て箱とする。
【考案の効果】
【０００７】
考案の効果は次の通りである。即ち、左右側壁と補助側壁との未接着部隙間に差し込めるようにした前フラップは、必要に応じて該隙間に前フラップ先端を簡単に差し込んで保冷体収納ケースにしたり、保冷体を必要としないときは、通常のフラップ位置に止める事で従来の組み立て紙箱と何ら変わらず使用する事が出来る。フラップが保冷体収納ケースを兼ねているためあらたな紙を必要とせずコストアップもなく、またフラップ先端を隙間に差し込むだけという簡単操作で済む。
【考案を実施するための最良の形態】
【０００８】
以下、本考案の実施例を図面に基づいて詳述する。図１は本考案紙箱の展開図である。図１では実線が紙切断を、点線が折り筋を示し（折り筋２４は上蓋のヒンジを兼ねる）、１枚の紙からなる。本図では折り筋（ヒンジ）２４より上部に書かれた部分が上蓋となる。図２は上蓋前側壁１５の糊代フラップ１６、１７を折り筋３４、３５で上蓋前側壁１５のに上に折り畳み、上蓋側壁１１（糊代１１ａ）、１２（糊代１２ａ）を折り筋２８、２９で天板６の上に折り畳み、糊代１１ａ、１２ａを更に折り筋３９、４０で斜めに上蓋側壁１１、１２の上に折り畳み、補助側壁７、８を折り筋３０、３１で側壁２の上に折り畳み、フラップ１３（１３ａ）、１４（１４ａ）及び前フラップ９、及び前フラップ兼保冷体収納ケース１０（１０ａ）を延設してある左右側壁４（４ａ）、５（５ａ）を折り筋４７、４８で底板１の上に折り畳み、更にフラップ１３と側壁４ａ及びフラップ１４と側壁５ａを折り筋３７、３８で側壁４、５の上に斜めに折り畳んだ状態を示す。尚、側壁４及び延設部品を先に折り、その上に後から側壁５及び延設部品を折り畳んだ状態を示す平面図である。
【０００９】
図２に於いて、糊代フラップ１６、１７が折り畳まれた状態の上蓋前側壁１５を、折り筋２５で側壁６側に折り畳み、糊代フラップ１６と糊代１１ａを、糊代フラップ１７と糊代１７を接着する。図３はその状態を示す平面図である。
【００１０】
図３に於いて、折り筋２３より下側をそっくり折り筋２３より上側に折り畳み、その時、折り筋３７、３８で折り畳んだ側壁４、５の部分である４ａ、５ａと補助側壁７、８とを接着する。図４はその状態を示す平面図である。即ち、この時点で、本考案による紙箱の折り畳んだ状態が完成した。出荷形態である。  
【００１１】
図５は、図４に於いて、上述した箇所の接着が終了した状態から、折り筋２３をセンターにして箱を開き始めた状態を示す。上蓋は上蓋側壁を起こし、上蓋としての組み立てが終了している。折り筋２３をセンターにして紙箱を開いていくと、側壁４、５が立ち上がってきて、それにつれて側壁の部分である４ａ、５ａと接着している補助側壁７、８が引っ張られ、補助側壁８の足４４が切れ込み４６から外れて切れ込み４８の方に移動しつつある状態を示す斜視図。
【００１２】
図６は前蓋（兼前側壁）３及び上蓋は開いているが、既に箱として起立した状態を示す斜視図。前フラップ９及び保冷体収納ケースを兼ねた前フラップ（１０、１０ａ）は、通常のフラップ位置にあり、ケーキなどの収納後、フラップを両方のフラップをこの位置で止めて側壁を兼ねた前蓋３を立ち上げれば、図８の状態になる。図６で更に保冷体収納ケースを兼ねた前フラップ１０、１０ａを折り筋４１を介して折り曲げ、先端を補助側壁８と側壁５との未接着部（隙間）に差し込んだ状態が図７となる。保冷体収納ケースを兼ねたフラップ１０の先端が該隙間に差し込まれた部分を斜線で示した（本来、この斜視図では見る事が出来ない）。フラップ１０を折り筋４１から折り曲げた事によりフラップ１０ａの幅だけフラップ１０と側壁５との間に空間が生まれ、ここに保冷体を収納する事が出来る。前蓋３を立ち上げれば図８の状態になる。上蓋を閉めロック片１９の先端１９ａを上蓋のロックあな５０に差し込めば図９となり、完了する。
【００１３】
上記実施例からも分かるように、前フラップを保冷体収納ケースと兼ねるのは左右どちらのフラップでもよく、又両方とも保冷体収納ケースを兼ねる事もできる。又、折り筋４１は更に折り筋を追加しても良く、紙質の選び方では折り筋はなくても丁度良い膨らみが得られる。又、本考案は上蓋の形状、仕様には一切無関係であり、本実施例の蓋はこれを規定するものではない。
【図面の簡単な説明】
【００１４】
【図１】展開図
【図２】箱作成途中の折り平面図（１）
【図３】箱作成途中の折り平面図（２）
【図４】折り畳んだ状態の箱完成平面図
【図５】箱組み立て途中斜視図（１）
【図６】箱組み立て途中斜視図（２）
【図７】箱組み立て途中斜視図（３）  保冷体収納ケース確保の場合
【図８】箱組み立て途中斜視図（４）
【図９】箱組み立て完了斜視図
【符号の説明】
【００１５】
１              底板
２              後側壁
３              前蓋（兼、前側壁）
４（４ａ）      側壁
５（５ａ）      側壁
６              上蓋天板
７、８          補助側壁
９              前フラップ
１０（１０ａ）  前フラップ兼保冷体収納ケース
１１（１１ａ）  上蓋側壁
１２（１２ａ）  上蓋側壁
１３、１４      フラップ
１５            上蓋前側壁
１６、１７      糊代フラップ
１８            フラップ
１９（１９ａ）  ロック片
２２〜４０      折り筋（２４は蓋ヒンジ兼用）
４３、４４      補助側壁足
４５〜４８      切れ込み
４９            抜き穴
【図１】
0003132840.tif 000003
【図２】
0003132840.tif 000004
【図３】
0003132840.tif 000005
【図４】
0003132840.tif 000006
【図５】
0003132840.tif 000007
【図６】
0003132840.tif 000008
【図７】
0003132840.tif 000009
【図８】
0003132840.tif 000010
【図９】
0003132840.tif 000011